(57)【要約】      （修正有）【課題】ヘッド・マウント・ディスプレイの本体部が、ユーザーの顔に接触しないようにしてユーザーの負担を軽減し、且つ、臨場感を失わないようにする。【解決手段】ヘッド・マウント・ディスプレイのヘッド・バンド部３が、本体部１を吊るす形体にすることで、本体部１とユーザーの顔を非接触とし、ヘッド・バンド部３の全長を調整することで、ヘッド・バンド部３内側に市販の布製ヘアバンドなどを装着可能とし、ユーザーの負担を軽減し、且つ、調整機構２、５で、本体部１とユーザーの顔と目との距離と角度の調整を可能とし、ユーザーの臨場感が損なわれることを防止する。【選択図】図１
0003215106.tif 000002
【実用新案登録請求の範囲】
【請求項１】
画像表示部を含む本体部と、
ヘッド・バンド部と、
前記本体部の左右および前記ヘッド・バンド部の左右にそれぞれ連結され、前記本体部を前記ヘッド・バンド部の前方に保持する１対のアーム部と、
を具備する、ヘッド・マウント・ディスプレイ。
【請求項２】
前記ヘッド・バンド部をユーザーの頭部に装着した状態において、前記本体部がユーザーの顔には触れず、ユーザーと接触するのは、ユーザー頭部周りと接触する前記ヘッド・バンド部のみの、
請求項１に記載のヘッド・マウント・ディスプレイ。
【請求項３】
前記ヘッド・バンドは、前記ヘッド・バンドの全長の長さを調整する全長調整機構を有する、
請求項１又は２に記載のヘッド・マウント・ディスプレイ。
【請求項４】
前記ヘッド・バンド部をユーザーの頭部に装着した状態において、前記本体部とユーザーの顔と眼との距離と角度を調整する機構を有する、
請求項１乃至３のいずれかに記載のヘッド・マウント・ディスプレイ。
【考案の詳細な説明】
【技術分野】
【０００１】本考案は、本体部をヘッド・バンド部から吊る形体にした、本体部が顔に触れない、非密着型ヘッド・マウント・ディスプレイである。
【背景技術】
【０００２】従来ヘッド・マウント・ディスプレイは、本体部が、顔に触れていた。機種によっては、接触する顔部分と密着したり、接触する顔部分を圧迫していた。
【考案の概要】
【考案が解決しようとする課題】
【０００３】従来ヘッド・マウント・ディスプレイは、本体部が顔に触れているため、長時間使用、気温上昇や運動などによる発汗の際には、不快感を与えていた。長期間の使用により汗や体臭などが、ヘッド・マウント・ディスプレイ本体部との接触箇所に付着したり、他人が密着使用したものへの共有にも抵抗があった。本体部と顔が密着状態のため、本体部のレンズや、ユーザーのメガネを曇らせる事例もあった。従って、本体部と顔を、非接触にすることにより、それらの欠点を解決しようとするものである。発汗をともなう運動中にも布製ヘアバンドをする人が多々いることを考慮すると、ヘッド・バンドが頭部周りのみに接触することは、大きな不快感を招かないと思われるので、ユーザーとヘッド・マウント・ディスプレイの接触部分は、ヘッド・バンド部のみとした。
ヘッド・バンド部と本体部の接続を１箇所のみとなると、一点に本体部の重量が集中し、ヘッド・バンド部のずれを誘発しやすいので、重量を分散させた。
本体部とユーザーの顔が離れすぎると、本体部の画像表示部を通じて得られる臨場感が損なわれるので、本体部と顔が離れすぎないよう、ぎりぎり顔に当たるか当たらないかの距離調整を可能とした。
目と本体部の画像表示部との角度がずれると、臨場感が損なわれるため、角度も調整できるようにした。
【課題を解決するための手段】
【０００４】本考案は、ヘッド・マウント・ディスプレイのヘッド・バンド部が、本体部を吊るす形体にすることで、本体部とユーザーの顔を非接触とし、ヘッド・バンド部の全長を調整することで、ヘッド・バンド部内側に市販の布製ヘアバンドなどを装着可能とし、ユーザーの負担を軽減し、不快感を解決している。アーム部を左右各１本、合計２本にして、本体部の重量がかかる部分を２箇所に分散し、重量の一点集中問題を解決している。調整機構で、本体部とユーザーの顔と目との距離と角度の調整を可能とし、ユーザーの臨場感が損なわれる問題を解決している。
【考案の効果】
【０００５】ヘッド・バンド部の全長の調整をすることで、市販の布製ヘアバンドやクッションなどを、ヘッド・バンド部の内側に装着することができるので、ユーザー各自に、布製ヘアバンドやクッションなどを用意することで、本ヘッド・マウント・ディスプレイは、例えば、スポーツジムやイベント会場や娯楽施設などで、不特定多数でも、不快感なく、共用できる。【０００６】前記のように、布製ヘアバンドなどを本ヘッド・バンドの内側に装着することで、発汗しても布製ヘアバンドが吸収し、本体部も顔と非接触なので汗でべとつかず、発汗を伴う運動などの活動と、本ヘッド・マウント・ディスプレイとの併用が快適にできる。【０００７】顔との接触がないため、長時間の使用にも向いており、つくろぎながらも不快感なく本ヘッド・マウント・ディスプレイを使用できる。
【図面の簡単な説明】
【０００８】
【図１】本考案にかかるヘッド・マウント・ディスプレイを使用者が装着した状態を示す概略側面図である。
【図２】上記ヘッド・マウント・ディスプレイを使用者が装着した状態を示す概略上面図である。
【図３】上記ヘッド・マウント・ディスプレイを、右斜め後方から見た概略斜視図である。
【図４】上記ヘッド・マウント・ディスプレイを、左斜め後方から見た概略斜視図である。
【考案を実施するための形態】
【０００９】  以下、本考案にかかるヘッド・マウント・ディスプレイの実施の形態について、図面を参照しながら説明する。
【００１０】  図１乃至図４に示すように、ヘッド・マウント・ディスプレイ１０は、本体部１と、ヘッド・バンド部３と、１対のアーム６と、を備える。ヘッド・マウント・ディスプレイ１０は、使用者がヘッド・バンド部３を頭部に装着することで、眼前に本体部１が保持され、使用者に映像を視認させるための装置である。
【００１１】  本体部１は、筐体１１と、１対の画像表示部１２と、図示を省略された制御装置と、を有する。筐体１１は、本体部１の外郭を構成する略直方体状の部材である。筐体１１の面のうち１面は、使用者の装着時において使用者の眼と対向する接眼面２０である。接眼面２０の各端辺は、筐体１１の外側であって、ヘッド・バンド部３側に突出している。接眼面２０の上下端部２１は、凹面である。接眼面２０の左右端部２２は、上下端部２１の左右端をそれぞれつなぐ略平坦面である。上下端部２１が有する凹面形状は、例えば装着者の頭部の形状に対応するように形成されている。
【００１２】  接眼面２０の上下端部２１が凹面形状であることにより、使用者がヘッド・マウント・ディスプレイ１０を装着したときに、本体部１を使用者の顔に接触しづらくしつつ、画像表示部１２以外からの情報を使用者の視界から遮断することができる。また、接眼面２０の上下端部が凹面形状であることにより、ヘッド・バンド部３が本体部１に対して回転するときに、ヘッド・バンド部３が本体部１に干渉しない。
【００１３】  筐体１１は、左右側面のそれぞれに、アーム６が有する長孔６１とともにボルト６２が挿通される貫通孔を有する。アーム６と貫通孔との関係については、後述する。
【００１４】  １対の画像表示部１２は、筐体１１の接眼面２０に配置される構成要素である。１対の画像表示部１２は、使用者の装着状態において左右に並んで配置されている。画像表示部１２は、使用者がヘッド・マウント・ディスプレイ１０を装着したときに、画像表示部１２のそれぞれがアイポイントに対応する位置にくるように配置されている。使用者は、画像表示部１２を見ることにより、ヘッド・マウント・ディスプレイ１０により再生された映像を視認する。
【００１５】  画像表示部１２は、使用者に視認させる映像を表示する画面であってもよい。この画面は、例えば液晶画面であってもよい。また、画像表示部１２は、レンズ又はガラスなどの光を透過する部材で構成されていて、使用者は画像表示部１２を通して本体部１内部に配置されたスクリーンに投影された映像を視認するようにしてもよい。
【００１６】  制御装置は、本体部１内部に配置される電気的な構成要素である。制御装置は、所定の映像を再生する機能を有する。制御装置は、再生する映像を記録する記録装置、および映像を再生する種々の機構を動作させるための電源などを備える。また、ヘッド・マウント・ディスプレイ１０が再生する映像を無線により受信する場合は、制御装置は無線モジュールを有していても良い。
【００１７】  ヘッド・バンド部３は、略円環状の部材である。円環の断面は、円環の半径方向に対して直交する方向に長辺を有する略長方形である。ヘッド・バンド部３は、幅方向の略中央において、円周方向に渡って内側に折れ曲がっている。すなわち、ヘッド・バンド部３の内側には、円周方向に渡って形成された凹部３１がある。ヘッド・バンド部３は、装着時において使用者の頭部に密着して固定される。
【００１８】  ヘッド・バンド部３は、ヘッド・バンド全長調整機構４を有する。ヘッド・バンド全長調整機構４は、空隙４１、１対の突出部４２、４３、ボルト４４、およびナット４５により構成される。
【００１９】  ヘッド・バンド部３は、ヘッド・バンド全長調整機構４部分において空隙４１を有する。すなわち、ヘッド・バンド部３の円環は、ヘッド・バンド全長調整機構４部分において途切れている。
【００２０】  空隙４１の両端には、外側に突出する突出部４２、４３が形成されている。１対の突出部４２、４３は、距離をおいて互いに略平行に対向している。１対の突出部４２、４３は、互いに対向する位置に貫通孔をそれぞれ有する。２個の貫通孔には、突出部４２、４３の一方の外側から１個のボルト４４が挿通され、突出部４２、４３の他方の外側において、このボルト４４の端部にナット４５が固定されている。図１において、ナット４５の頭部は略三角形である。
【００２１】  ヘッド・バンド部３は、ある程度弾性を有する。したがって、ボルト４４およびナット４５を締めると、ヘッド・バンド部３は円環の半径が小さくなる方向にたわみ、空隙４の幅が狭くなる。また、ボルト４４およびナット４５を緩めると、ヘッド・バンド部３の円環の半径は、復元力により大きくなる。したがって、ボルト４４およびナット４５の締緩を調整することにより、ヘッド・バンド部３の内径を調整することができる。このヘッド・バンド全長調整機構４によれば、使用者の頭部外周長に合わせてヘッド・バンド部３を調整することができるので、使用者はより快適にヘッド・マウント・ディスプレイ１０を使用することができる。
【００２２】  なお、装着時において、ヘッド・バンド部３と使用者の頭部との間に布製ヘアバンドやクッションを挟み込んでもよい。ヘッド・バンド部３は内周の長さを調整することができるため、市販されている任意の布製ヘアバンド等を挟み込んで使用することができる。
【００２３】  また、ヘッド・バンド部３は、側面に、アーム６に連結するための貫通孔３２を備える。貫通孔３２は、１対のアーム６に対応して左右に各１個、計２個設けられている。
【００２４】  アーム６は、本体部１およびヘッド・バンド部３を連結する部材である。アーム６は左右に１個ずつ、合計２個配置されている。アーム６は、棒状の平板を、略Ｚ型に折り曲げた形状をしている。１対のアーム６はそれぞれ、第１端は本体部１に連結され、第２端はヘッド・バンド部３に連結されている。１対のアーム６は、第２端側がヘッド・マウント・ディスプレイ１０の外側にそれぞれ突出するように、互いに左右対称に配置されている。アーム６が左右に１個ずつ配置され、本体部１を２か所で保持していることで、１個で保持する構成に比べてヘッド・バンド部３にかかる本体部１の重量が分散され、ヘッド・バンド部３のずれが軽減される。
【００２５】  本体部１およびアーム６の連結部分には、本体部１とヘッド・バンド部３との距離を調整可能な距離調整機構２が設けられている。距離調整機構２は、長孔６１、ボルト６２、および本体部１とボルト６２との締結部により構成されている。アーム６の第１端側には、幅方向の略中央に、長さ方向に長辺を有する長孔６１が設けられている。長孔６１にはボルト６２が挿通され、このボルト６２は、本体部１の内側においてナットに締結されている。なお、本体部１の内側に、ボルト６２に対応するネジが切ってある構成としてもよい。
【００２６】  ボルト６２およびナットが緩められている状態において、ボルト６２は長孔６１内を摺動可能である。すなわち、本体部１の画像表示部１２とヘッド・バンド部３との距離を長孔６１の長さの範囲で変更可能である。ボルト６２およびナットが締められている状態においては、本体部１とヘッド・バンド部３との距離が固定される。
【００２７】  装着時においては、ヘッド・バンド部３が使用者の頭部に固定されているので、距離調整機構２により本体部１と使用者の頭部との距離を調整することができる。
【００２８】  ヘッド・バンド部３およびアーム６の連結部分には、ヘッド・バンド部３と本体部１との角度を調整可能な角度調整機構５が設けられている。角度調整機構５は、アーム６の貫通孔、ヘッド・バンド部３の貫通孔３２、ボルト６３、およびナット６４により構成されている。
【００２９】  アーム６の貫通孔は、アーム６の第２端側であって、幅方向の略中央に設けられている。この貫通孔の位置は、ヘッド・バンド部３に設けられた貫通孔３２の位置に対応している。ボルト６３は、ヘッド・マウント・ディスプレイ１０の外側から、アーム６の貫通孔およびヘッド・バンド部３の貫通孔３２に挿通されている。ボルト６３は、ヘッド・バンド部３の内側においてナット６４により固定されている。ナット６４は、凹部３１の深さより小さく、ヘッド・バンド部３の凹部３１内側に配置されている。この構成によれば、ナット６４が装着時に使用者の頭部に接触しない。
【００３０】  ヘッド・バンド部３およびアーム６を固定するボルト６３を緩めると、ヘッド・バンド３がアーム６に対して回転可能になり、ヘッド・バンド部３とアーム６との相対角度を変化させることができる。すなわち、ヘッド・バンド部３と本体部１との角度を調整することができる。ボルト６３を締めると、ヘッド・バンド部３およびアーム６の角度が固定される。
【００３１】  装着時においては、ヘッド・バンド部３が使用者の頭部に固定されているので、角度調整機構５により本体部１と使用者の頭部との角度を調整することができる。
【００３２】  本考案にかかるヘッド・マウント・ディスプレイ１０によれば、本体部１がアーム６を介してヘッド・バンド部３につりさげられている。したがって、本体部１が使用者の頭部に接触することなく、本体部１および使用者の位置関係を固定することができる。したがって、使用者は、ヘッド・マウント・ディスプレイ１０を長時間でも快適に使用することができる。
【００３３】  また、ヘッド・マウント・ディスプレイ１０は、距離調整機構２により本体部１および使用者の顔の距離を調整可能であるので、使用者の頭部サイズなどに応じて、本体部１が顔に当たらないよう接近させて固定することが可能である。したがって、使用者は画像表示部１２を通じて臨場感のある画像を視認することができる。
【００３４】  さらに、ヘッド・マウント・ディスプレイ１０は、角度調整機構５によりヘッド・バンド部３とアーム６との相対角度を調整可能である。すなわち、使用者の頭部と本体部１との角度を調整することができる。したがって、使用者の頭部サイズなどに応じて本体部１の頭部に対する位置を微調整が可能であり、使用者に臨場感を与えることができる位置に調整できる。
【符号の説明】
【００３５】１    本体部
２    距離調整機構（目・顔と本体部の距離）
３    ヘッド・バンド部
４    ヘッド・バンド全長調整機構（ヘッド・バンド全長）
５    角度調整機構（目・顔と本体部の角度）
６    アーム
１０  ヘッド・マウント・ディスプレイ
【図１】
0003215106.tif 000003
【図２】
0003215106.tif 000004
【図３】
0003215106.tif 000005
【図４】
0003215106.tif 000006